(57)【要約】  本（２０）を搬送するための丁合コンベヤ（３０）と、丁合コンベヤ（３０）上の本（２０）に静電荷を提供する電圧出力を有する可変の静電気帯電ユニット（５０）と、可変の静電気帯電ユニット（５０）に接続された制御装置（１００）とを有しており、制御装置（１００）が、可変の静電気帯電ユニット（５０）の電圧出力を制御するようになっている、本（２０）を丁合するための丁合い機（２００）が提供される。
2010501445.tif 000002
【特許請求の範囲】
【請求項１】
本を丁合するための丁合い機において、
本を搬送するための丁合コンベヤと、
丁合コンベヤ上の本に静電荷を提供する電圧出力を有する、可変の静電気帯電ユニットと、
該可変の静電気帯電ユニットに接続された制御装置とが設けられており、該制御装置が、可変の静電気帯電ユニットの電圧出力を制御するようになっていることを特徴とする、本を丁合するための丁合い機。
【請求項２】
丁合コンベヤが丁合チェーンである、請求項１記載の丁合い機。
【請求項３】
丁合い機が中とじ機である、請求項１記載の丁合い機。
【請求項４】
丁合コンベヤ上の本を案内するためのシートガイドが設けられている、請求項１記載の丁合い機。
【請求項５】
静電荷が、本をシートガイドに拘束するために必要な静電荷よりも少ない、請求項４記載の丁合い機。
【請求項６】
静電荷が、シートガイドに関する、請求項４記載の丁合い機。
【請求項７】
本が複数のページを有しており、提供される静電荷が、ページが分離しないようにしておくために必要な電荷よりも多いか又は等しい、請求項１記載の丁合い機。
【請求項８】
可変の静電気帯電ユニットに接続されておりかつ丁合コンベヤの一方の側に配置されたピンナが設けられており、該ピンナが静電荷を本に提供する、請求項１記載の丁合い機。
【請求項９】
ピンナがリニアピンナである、請求項８記載の丁合い機。
【請求項１０】
丁合コンベヤの反対側に配置された別のピンナが設けられている、請求項８記載の丁合い機。
【請求項１１】
静電荷が、本が、静電荷を受け取るリニアピンナの下方に位置する滞在時間に関連している、請求項８記載の丁合い機。
【請求項１２】
静電荷が、本の組成に関連している、請求項１記載の丁合い機。
【請求項１３】
静電荷が、本の寸法に関連している、請求項１記載の丁合い機。
【請求項１４】
静電荷が、所定の表又はオペレータ知識に基づく、請求項１記載の丁合い機。
【請求項１５】
静電荷が、丁合コンベヤの速度に関連している、請求項１記載の丁合い機。
【請求項１６】
制御装置が、センサから丁合コンベヤの速度を決定する、請求項１５記載の丁合い機。
【請求項１７】
センサが、丁合コンベヤを駆動するモータに設けられたエンコーダである、請求項１６記載の丁合い機。
【請求項１８】
制御装置が、ユーザインターフェースにおいて丁合コンベヤのための速度設定を行うことによって丁合コンベヤの速度を決定する、請求項１５記載の丁合い機。
【発明の詳細な説明】
【技術分野】
【０００１】
本願は、２００６年８月１８日に出願され、引用したことにより本明細書に記載されたこととする米国特許仮出願第６０／８３８６３６号明細書の利益を請求する。
【背景技術】
【０００２】
無線とじ機、中とじ機及びメールインサータ等の丁合い機は、シート材料を収集するためにホッパ又はフィーダを使用することができる。中とじ機又は無線とじ機は、例えば、ホッパ又はフィーダから中とじ機又は無線とじ機のコンベアへ供給された折り畳まれた被印刷材料を収集し、雑誌又はその他の被印刷製品を形成する。本願の文脈において、ホッパ及びフィーダという用語は同義語として使用されている。
【０００３】
米国特許第６２６７２２５号明細書は、評判によれば、少なくとも１つの加工物が搬送されながらこの加工物を支持する、電気的に絶縁する接触面を有する少なくとも１つの可動な搬送エレメントを有する印刷技術分野において使用される機械のための薄い加工物を搬送するための装置を開示している。
【０００４】
米国特許第６６１６１３４号明細書は、多層材料ウェブを静電気帯電させるための装置を開示しており、多層材料ウェブの外側に割り当てられた静電気帯電エレメントを有しており、帯電エレメントは、胴への多層材料ウェブの入口の上流に配置されている。
【０００５】
米国特許出願公開第２００６／０１８０６９７号明細書は、評判によれば、静電システムを開示しており、この静電システムは、著しい滑りなしにフィルムウェブをロールに保持し、これにより、電動ローラの上流と下流における極端な差が存在する場合でさえもウェブの張力を適切に制御することができる。
【０００６】
発明の概要
本発明の実施形態によれば、本を丁合するための丁合い機は、本を搬送するための丁合コンベヤと、可変の静電気帯電ユニットとを有している。可変の静電気帯電ユニットは、電圧出力を有しており、丁合コンベヤ上の本に静電荷を提供する。可変の静電気帯電ユニットに接続された制御装置が設けられている。制御装置は、可変の静電気帯電ユニットの電圧出力を制御する。
【０００７】
本発明の好適な実施形態が図面を参照しながら説明される。
【図面の簡単な説明】
【０００８】
【図１】本発明による丁合い機の区分の正面図を示している。
【図２】図１の実施形態の上面図を示している。
【図３】リニアピンナを示している。
【０００９】
丁合された本のシートは、シートが、丁合コンベヤ、例えば丁合チェーンに沿って移動しながら高速で分離することがある。通常、分離を防止するために、静電荷が本に誘発されることができる。しかしながら、多すぎる静電荷は、設けられている場合には鋼シートガイドにシートを拘束し、少なすぎる静電荷は、本のページを分離させるおそれがある。
【００１０】
図１及び図２は、本発明の実施形態による丁合い機２００を示している。丁合い機２００は、ホッパ４０と、丁合コンベヤ、例えば丁合チェーン３０と、静電気帯電ユニット５０と、丁合チェーン３０上で走行方向Ｘに搬送されている本２０とを有している。シートガイド１２は、丁合チェーン３０において走行する本２０を案内する。必要に応じて２つ以上のホッパ４０が設けられることができる。
【００１１】
ピンナ、例えばリニアピンナ１０，１０′が、本２０に静電荷を提供するために配置されており、静電気帯電ユニット５０に接続されている。図２及び図３に示されているように、リニアピンナ１０は、例えば丁合チェーン３０の一方の側に取り付けられており、リニアピンナ１０′は丁合チェーン３０の反対側に取り付けられていることができる。すなわち、静電荷は本２０の両側に提供されることができる。
【００１２】
本２０に生ぜしめられた静電荷の量は、帯電ユニット５０による電圧出力と、本が、静電荷を受け取るリニアピンナ１０の下方に位置する滞在時間との組み合わせである。制御装置１０は、丁合チェーン３０の実際の速度に従って静電気帯電ユニット５０の電圧出力を調整する。本５０に提供される静電荷の量は、丁合チェーン３０の始動、停止、及び速度変化のために調整される。丁合チェーン３０が、例えば詰まりを除去するために停止かつ始動する場合、制御装置１０は、本２０に提供される静電荷を調整するために静電気帯電ユニット５０の電圧出力を調整する。すなわち、本２０に提供される静電荷は、丁合チェーン３０の速度に従って変化させられる。
【００１３】
この実施形態において、制御装置１００は、丁合チェーン３０の速度と、静電気帯電ユニット５０の電圧出力とを制御する。択一的に、制御装置は、丁合コンベヤの速度を制御せず、例えば静電気帯電ユニットのみを制御することができる。
【００１４】
ピンナ１０，１０′は、静電気帯電ユニット５０から電圧出力を受け取り、本２０に静電荷を伝達する。適切な静電荷がリニアピンナ１０，１０′によって本２０に提供されるように、制御装置１００は静電気帯電ユニット５０の電圧出力を変化させる。適切な静電荷は、シートガイド１２への本２０の拘束を生じない静電荷である。適切な静電荷は、拘束を生じない最大電荷であるか、又は最大電荷よりも小さい。さらに、所望の静電荷は、本のページを分離させないでおくために必要な電荷よりも大きいか又はこれに等しい。適切な静電荷は、必要に応じて、オペレータによって又は与えられたジョブの仕様によって調整されることができる。
【００１５】
制御装置は、丁合コンベヤの速度をあらゆる適切な形式で決定することができる。制御装置は、例えば、丁合コンベヤを駆動するモータに設けられたエンコーダから、丁合い機に設けられた他のセンサから、又は実際の速度を別の形式で監視することによって、速度を決定することができる。さらに、制御装置は、例えば、ユーザインターフェースにおける丁合コンベヤのための速度設定から、丁合コンベヤの速度を決定することができる。
【００１６】
提供される静電気電圧の大きさは、例えば、本の材料又は寸法、コンベヤの速度、提供されるシートガイドのタイプ及び材料に関連していることができ、所定の表又はオペレータ知識に基づくことができる。さらに、静電荷の量は、速度が変化するのに応じて変化させられることができる。本に提供される静電荷の量を制御することによって、紙詰まりが低減され、本の品質が向上させられることができる。
【００１７】
上記説明において、発明は、発明の特定の典型的な実施形態及び実施例に関して説明された。しかしながら、請求の範囲に示された発明のより広い精神及び範囲から逸脱することなく、それらに様々な変更が加えられることができることが明らかである。したがって、明細書及び図面は、制限的な意味ではなく例示的な形式で見なされるべきである。
【符号の説明】
【００１８】
１００  制御装置、  ２００  丁合い機、  １０，１０′  リニアピンナ、  ２０  本、  ３０  丁合チェーン、  ４０  ホッパ、  ５０  静電気帯電ユニット
【図１】
2010501445.tif 000003
【図２】
2010501445.tif 000004
【図３】
2010501445.tif 000005
【国際調査報告】
2010501445.tif 000006